(57)【要約】      （修正有）【課題】第２筐体の壁面に設けられた開口部に嵌挿取付けされる第１筐体からなる防水型筐体ユニットに対し、第２筐体の被取付板の内面で結露した水滴が第１筐体内部で滑落浸水するのを防止する防水型筐体ユニットを得る。【解決手段】防水型筐体ユニット１００Ａは、表面ケース１１０Ａと背面ケース１３０によって構成された第１筐体１４０Ａを有し、この第１筐体１４０Ａは、防水パッキンを介して第２筐体の被取付板１５１の外面から嵌挿取付けされており、表面ケース１１０Ａの管状周壁部１１１ａ、１１１ｄには、複数の排水穴１１３ｄ、１１４、１１５が設けられるともに、排水穴に導入された水滴は、表面ケース１１０Ａの管状周壁部１１１ａ、１１１ｄの内面に設けられた二重周壁部の上面を通過して、側面又は、下面位置の管状周壁部に設けられた排水穴から排出される。【選択図】図１
2015095522.tif 000002
【特許請求の範囲】
【請求項１】
第１筐体からなり、第２筐体の壁面に設けられた開口部に嵌挿される防水型筐体ユニットであって、
前記第１筐体は、回路基板を収納すると共に、前面に表面配置部材が装着された表面ケースと、背面ケースとを備え、
前記表面ケースは、前記開口部の周縁で前記第２筐体の外面に当接する額縁状のフランジ部を前端部に備え、前記開口部に嵌挿される方形の管状周壁部で構成され、
前記背面ケースは、前記管状周壁部の後端部の全周にわたって当接する封鎖周壁部と、前記封鎖周壁部の後端を封鎖する背面壁とを備え、
前記管状周壁部の前端部は、前記表面配置部材によって封鎖され、
前記管状周壁部の後端部に、前記背面ケースが係合しており、
前記管状周壁部は、上面および側面位置に設けられた排水穴と、前記排水穴に連通するように、前記管状周壁部の内部に設けられた二重周壁部とを有することを特徴とする防水型筐体ユニット。
【請求項２】
前記表面ケースと前記背面ケースは、係合部材を介して一体化されており、
前記係合部材は、
前記管状周壁部に設けられた複数のフック係合穴と、
前記封鎖周壁部に設けられた弾性フックとによって構成され、
前記弾性フックが係合する前記複数のフック係合穴は、前記排水穴の一部を構成していることを特徴とする請求項１に記載の防水型筐体ユニット。
【請求項３】
前記第２筐体の前記壁面は被取付板を構成しており、
前記第１筐体は、取付固定手段を介して前記第２筐体に固定され、
前記取付固定手段は、
前記管状周壁部の一部に設けられた固定部材係合穴と、
前記固定部材係合穴に嵌入する係合爪と、
固定ねじとを備え、
前記固定ねじを締付け回動することによって、
前記第２筐体の前記被取付板の内面と、前記係合爪が当接する前記固定部材係合穴の後端面との距離を拡げることで、前記フランジ部が防水封止材を介して前記被取付板の外面に押圧され、前記固定ねじによって前記第１筐体が前記第２筐体に取付固定されるとともに、
前記係合爪に対応して設けられた前記固定部材係合穴は、前記排水穴の一部を構成していることを特徴とする請求項１又は請求項２に記載の防水型筐体ユニット。      
【請求項４】
前記表面ケースを構成する前記管状周壁部の、前記固定部材係合穴と前記フック係合穴の間に敷設され、前記排水穴の一部を構成する分散排水穴を有することを特徴とする請求項３に記載の防水型筐体ユニット。
【請求項５】
前記管状周壁部と、前記フランジ部と、前記排水穴と、前記二重周壁部とは、前記フランジ部の開口前端部側と開口後端部側に位置して互いに突合する一対の金型によって成形され、
前記排水穴を構成する、前記固定部材係合穴又は前記フック係合穴又は前記分散排水穴と、前記二重周壁部の排水面は、前記フランジ部の開口前端部側と開口後端部側に位置して互いに突合する前記一対の金型のうち、開口前端部側に位置する金型の雄部材によって生成され、
前記一対の金型によって前記フランジ部の開口前端部側に形成される開口部は、防水性粘着シートによって封鎖されていることを特徴とする請求項２から４のいずれか１項に記載の防水型筐体ユニット。     
【請求項６】
前記表面ケースに設けられた前記二重周壁部の排水面は、前記管状周壁部の開口後端部側に、前記二重周壁部内への水滴の浸入を遮断する遮水壁を有することを特徴とする請求項５に記載の防水型筐体ユニット。
【請求項７】
前記遮水壁は、前記二重周壁部の周面に直交するように設けられており、
さらに前記遮水壁から前記二重周壁部の内側に向かうにつれて徐々に外方に向かう傾斜面を有する傾斜遮水壁を有することを特徴とする請求項６に記載の防水型筐体ユニット。
【請求項８】
前記管状周壁部と、前記フランジ部と、前記排水穴と、前記二重周壁部とは、前記フランジ部の開口前端部側と開口後端部側に位置して互いに突合する一対の金型によって成形され、
前記排水穴を構成する、前記固定部材係合穴又は前記フック係合穴又は前記分散排水穴は、前記フランジ部の開口前端部側と開口後端部側に位置して互いに突合する前記一対の金型のうち、開口前端部側に位置する金型の雄部材によって生成され、前記二重周壁部の排水面は、開口後端部側に位置する金型の雄部材によって生成され、
前記一対の金型によって前記フランジ部の開口前端部側に発生する開口部は、防水性粘着シートによって封鎖されることを特徴とする請求項２から４のいずれか１項に記載の防水型筐体ユニット。
【請求項９】
前記フランジ部の開口後端部側に位置する前記金型の雄部材によって生成された前記二重周壁部の排水面には、別部材で形成された遮水壁が設けられていることを特徴とする請求項８に記載の防水型筐体ユニット。
【請求項１０】
前記背面ケースの封鎖周壁部又は背面壁には、複数の通気窓が設けられ、前記排水穴と前記複数の通気窓とは、前記二重周壁部の通気穴を介して相互に連通していることを特徴とする請求項２から４のいずれか１項に記載の防水型筐体ユニット。
【請求項１１】
前記背面ケースの前記複数の通気窓の全ては、前記背面壁に設けられるとともに、
前記背面ケースは、前記第１筐体を横取付け又は縦取付けした場合に、前記背面壁の上部となる１辺又は、隣接した他の１辺に対して、前記背面壁から起立する庇を備えたことを特徴とする請求項１０に記載の防水型筐体ユニット。
【請求項１２】
前記二重周壁部は、４箇所の角部に設けられた角部二重周壁を有し、
前記管状周壁部の内で、水平上部位置となった管状周壁部の排水穴に流入した水滴は、
前記角部二重周壁のそれぞれにおいて、排水穴から流出するか、前記角部二重周壁の表面に拡散付着することを特徴とする請求項１から１１のいずれか１項に記載の防水型筐体ユニット。
【請求項１３】
前記二重周壁部は、周面全体が二重周壁部を構成する周回二重周壁を構成しており、
前記管状周壁部の排水穴に流入した水滴は、前記管状周壁部の排水穴から流出するか、前記周回二重周壁の表面に拡散付着することを特徴とする請求項１から１１のいずれか１項に記載の防水型筐体ユニット。
【請求項１４】
前記表面ケースの上下左右に位置する前記管状周壁部と平行して設けられた前記二重周壁部は、少なくとも上側左右及び下側左右の４箇所の角部に設けられた角部傾斜付二重周壁を有する第３の二重周壁部であり、
前記管状周壁部の内で、水平上部位置となった管状周壁部の排水穴に流入した水滴は、  前記角部傾斜付二重周壁の垂直左右位置或いは、水平下部位置の前記管状周壁部の排水穴から流出するか、前記角部傾斜付二重周壁の表面に拡散付着することを特徴とする請求項１から１１のいずれか１項に記載の防水型筐体ユニット。
【請求項１５】
前記表面ケースの上下左右に位置する前記管状周壁部と平行して設けられた前記二重周壁部は、上下左右の周回二重周壁を相互に連結した角部斜面二重周壁を有する第４の二重周壁部であり、
前記管状周壁部の内で、水平上部位置となった管状周壁部の排水穴に流入した水滴は、  前記周回二重周壁と前記角部斜面二重周壁のいずれか二つに分かれて垂直左右位置或いは、水平下部位置の前記管状周壁部の排水穴から流出するか、前記角部傾斜付二重周壁、或いは、前記周回二重周壁と前記角部斜面二重周壁の表面に拡散付着することを特徴とする請求項１から１１のいずれか１項に記載の防水型筐体ユニット。
【発明の詳細な説明】
【技術分野】
【０００１】
本発明は、防水型筐体ユニットに関する。
【背景技術】
【０００２】
表示操作機器などを備えた１つの筐体（第１筐体）を別の筐体（第２筐体）で覆って使用する場合がある。この場合、第１筐体と第２筐体との間の防水保護等級は、耐水形（ＩＰ６)或いは防浸形（ＩＰ７)などの高レベルの耐水構造であっても、第２筐体中で使用される第１筐体では、比較的簡易なものが用いられる。ここでＩＰとは、ＪＩＳ Ｃ ０９２０：２００３又は、ＩＥＣ ６０５２９に基づいて規定された、固形異物、水に対する電気機器、キャビネットの保護等級表示である。例えば、第２筐体内では、防水保護等級としては、鉛直から落ちてくる水滴による有害な影響がない簡易な防滴Ｉ形（ＩＰ１）の防水保護等級が適用される。このように、高レベルの耐水構造であっても、簡易型の防水保護等級が適用される電子製品は、広く実用化されている。
【０００３】
例えば、このような防滴Ｉ形（ＩＰ１）の防水保護等級が適用された筐体ユニットの一例として、特許文献１の表示装置によれば、表示画面を装着される表面ケースと背面ケースとからなる第１筐体が、筺体（第２筐体）の壁面を構成するパネル部材に設けられた開口部から筺体内に挿入されている。この表示装置では、背面ケース内に、パネル部材の裏面を伝って背面ケースに達した液体（水滴）が放熱穴を介して浸入することがある。そこでこのような液体の浸入を防ぐために、表示装置を取付固定するための背面ケースの外側に開口部との間を横切る案内溝を備えている。
【０００４】
従って、パネル部材の裏面を伝って下降してきた液体が、背面ケースの上面に到達して、当該上面を開口部の方向に向かっても、開口部に至る前に、案内溝に流れ込む。そして案内溝に案内されて背面ケースの側部まで導かれた液体は、背面ケースの外周壁部を伝って背面ケースの下端まで下降して落下して、液体が開口部を介して背面ケース内に浸入するのを防止することができる。なお、第２筐体内で発生する水滴の量は、環境湿度と第２筐体の容積及び結露するための温度変化の度合いによって変化して不特定である。水滴化しても背面ケースの表面が濡れる程度となって、やがて乾燥蒸発してしまう程度のものであることが一般的であり、通例の耐水構造としては、少なくともパネル部材の開口部から表示装置の内部に浸水するのを防止することが主目的となっている。
【先行技術文献】
【特許文献】
【０００５】
【特許文献１】特開２０１２−２３０２２３号公報
【発明の概要】
【発明が解決しようとする課題】
【０００６】
このように、上記従来の技術を用いた表示装置によれば、表示装置を構成する第１筐体が、制御盤である第２筐体のパネル部材の開口部に嵌挿取付けされ、パネル部材内面で結露した水滴が滑落して、表示装置の背面ケースに設けられた開口部から案内溝を介して内部に浸水するのを防止するものとなっている。しかしながら、この防水構造は十分ではなく、表示装置を含む第１筐体内部への浸水を防ぐには十分ではなかった。
【０００７】
また、水滴の滑落する位置は、開口部上の局部に限定されるものではないため、案内溝は、背面ケースの全幅に設ける必要がある。しかし、案内溝には、第２筐体内の塵埃が付着堆積しやすく、これによって水滴の誘導機能が損なわれると、開口部から表示装置内に浸水して実害をもたらすという問題点があった。
【０００８】
更に、案内溝を局部に設けるか、全周に設けるかいずれの場合であっても、表示装置を構成する第１筐体を樹脂成形品とする場合には、金型構造が複雑となり、簡易な上下２つの金型で成形することができないという問題があった。
【０００９】
本発明は、上記に鑑みてなされたものであって、第２筐体の壁面に設けられた開口部に嵌挿取付けされた第１筐体からなる防水型筐体ユニットに対し、第２筐体の壁面の内面で結露した水滴が、第２筐体内部の防水型筐体ユニットの周壁に滑落して、防水型筐体ユニットの内部に害をもたらすのを抑制することができる防水型筐体ユニットを得ることを目的とする。
【００１０】
また、本発明は、防水型筐体ユニットを構成する第１筐体が、簡易な構造の金型を用いた樹脂成形加工によって、効率よく成形されるようにした、防水型筐体ユニットを得ることを目的とする。
【課題を解決するための手段】
【００１１】
上述した課題を解決し、目的を達成するために、本発明は、第１筐体からなり、第２筐体の壁面に設けられた開口部に嵌挿される防水型筐体ユニットである。第１筐体は、回路基板を収納すると共に、前面に表面配置部材が装着された表面ケースと、背面ケースとを備える。表面ケースは、開口部の周縁で第２筐体の外面に当接する額縁状のフランジ部を備え、開口部に嵌挿される方形の管状周壁部で構成される。背面ケースは、管状周壁部の後端部の全周にわたって当接する封鎖周壁部と、封鎖周壁部の後端を封鎖する背面壁とを備える。そして、管状周壁部の前端部は、表面配置部材によって封鎖され、管状周壁部の後端部に、背面ケースが係合する。管状周壁部は、上面および側面位置に設けられた排水穴と、排水穴に連通するように、当該管状周壁部の内部に設けられた二重周壁部とを有することを特徴とする。
【発明の効果】
【００１２】
上記構成によれば、表面ケースが、排水穴と、二重周壁部を備えているため、第２筐体の内面で結露して、その内部壁面を伝って滑落し、表面ケースに設けられた排水穴に浸入した水滴は、表面ケースの管状周壁部の内面に設けられた二重周壁部の表面に拡散付着する。このとき、過剰な水滴は、側面又は、下面位置の管状周壁部に設けられた排水穴から排出される。一方、二重周壁部の表面に拡散付着した水滴は、実働時の第１筐体内の温度上昇に伴って乾燥蒸発するようになっている。
【００１３】
従って、第１筐体の外面に排水誘導路を設けたものに比べて、実働時の第１筐体内の温度上昇は、第１筐体の外面の温度上昇よりも高くなるので、拡散付着した水滴の乾燥蒸発能力が向上する。また、完全密閉構造としたものに比べて、呼吸作用を行うための防水フィルタを必要とせず、通気性のある簡易な防滴保護を行うことができるという効果がある。
【００１４】
また、第１筐体の外面に排水誘導路を設けるのに比べ、筒状体のみで構成されており、スライドコアを持たない簡易な金型によって、排水穴と排水路を表面ケースの内部に構成することができるため、安価な金型を用いて成形加工時間の短縮を図ることができる。
【図面の簡単な説明】
【００１５】
【図１】図１は、本発明の実施の形態１による防水型筐体ユニットの外観図である。
【図２】図２は、本発明の実施の形態１による防水型筐体ユニットが第２筐体に装着された状態を示す図である。
【図３】図３は、図１のII−II線による断面図である。
【図４】図４は、図１に示した防水型筐体ユニットの第１筐体の分解図である。
【図５】図５は、この第１筐体を構成する表面ケースと背面ケースの一体化のための係合部材を示す部分断面図であり、（ａ）は、一体化する前の状態を示し、（ｂ）は、一体化した後の状態を示している。
【図６】図６は、この第１筐体の第２筐体の壁面への取付固定手段を示す部分断面図であり、（ａ）は、一体化する前の状態を示し、（ｂ）は、一体化した後の状態を示している。
【図７】図７は、第１筐体を構成する表面ケースに設けられた分散排水穴を示す部分断面図であり、（ｂ）は、（ａ）のＢ−Ｂ断面を示す図である。
【図８】図８は、同第１筐体を構成する背面ケースの背面図である。
【図９】図９は、同第１筐体を構成する背面ケースの変形例の背面図である。
【図１０】図１０は、表面ケースの二重周壁部の構成と排水経路を示す模式図であり、図１０（ａ）は、横取付け、図１０（ｂ）は、縦取付けの場合を示す図である。
【図１１】図１１は、変形例１の表面ケースの二重周壁部の構成と排水経路を示す模式図であり、（ａ）は、横取付け、（ｂ）は、縦取付けの場合を示す図である。
【図１２】図１２は、変形例２の表面ケースの二重周壁部の構成と排水経路を示す模式図であり、（ａ）は、横取付け、（ｂ）は、縦取付けの場合を示す図である。
【図１３】図１３は、変形例３の表面ケースの二重周壁部の構成と排水経路を示す模式図であり、（ａ）は、横取付け、（ｂ）は、縦取付けの場合を示す図である。
【図１４】図１４は、本発明の実施の形態２の防水型筐体ユニットの第１筐体の分解図である。
【図１５】図１５は、この第１筐体を構成する表面ケースと背面ケースの一体化のための係合部材を示す部分断面図であり、（ａ）は、一体化する前の状態を示し、（ｂ）は、一体化した後の状態を示している。
【図１６】図１６は、この第１筐体の第２筐体の壁面への取付固定手段を示す部分断面図であり、（ａ）は、一体化する前の状態を示し、（ｂ）は、一体化した後の状態を示している。
【図１７】図１７は、第１筐体を構成する表面ケースに設けられた分散排水穴を示す部分断面図であり、（ｂ）は、（ａ）のＢ−Ｂ断面を示す図である。
【発明を実施するための形態】
【００１６】
以下に、本発明にかかる防水型筐体ユニットの実施の形態を図面に基づいて詳細に説明する。なお、本発明は、以下の記述に限定されるものではなく、本発明の要旨を逸脱しない範囲において適宜変更可能である。また、以下に示す図面においては、理解の容易のため、各部材の縮尺が実際とは、異なる場合がある。各図面間においても同様である。
【００１７】
実施の形態１．
図１は、この発明の実施の形態１による防水型筐体ユニットの外観図である。図２は、本発明の実施の形態１による防水型筐体ユニットが第２筐体に装着された状態を示す図である。図３は、図１のII−II線による断面図である。図４は、図１に示した防水型筐体ユニットの第１筐体の分解図である。図５（ａ）及び（ｂ）は、この第１筐体を構成する表面ケースと背面ケースの一体化のための係合部材を示す部分断面図である。図６（ａ）及び（ｂ）は、この第１筐体の第２筐体の壁面への取付固定手段を示す部分断面図である。図７は、第１筐体を構成する表面ケースに設けられた分散排水穴を示す部分断面図であり、（ｂ）は、（ａ）のＢ−Ｂ断面を示す図である。図８は、同第１筐体を構成する背面ケースの背面図である。図１０は、表面ケースの二重周壁部の構成と排水経路を示す模式図であり、（ａ）は、横取付け、（ｂ）は、縦取付けの場合を示す図である。図１０（ａ）及び（ｂ）は、図１におけるVIII−VIII線による簡略断面図に相当する。
【００１８】
まず、図１に示すように、本実施の形態の防水型筐体ユニット１００Ａは、表面ケース１１０Ａと、前面に表示画面を備えた表面配置部材１２０と、背面ケース１３０とを備えた第１筐体１４０Ａが、第２筐体１５０の壁面に嵌挿される表示ユニットである。第１筐体１４０Ａは、係合部材を介して一体化された表面ケース１１０Ａと背面ケース１３０と、表面配置部材１２０とを備えている。第２筐体１５０（図２参照）は、前面が被取付板１５１で構成され、第１の開口部としての被取付穴１５２を備えている。表面ケース１１０Ａは、方形の管状周壁部１１１ａ〜１１１ｄ（１１１ｂ，１１１ｃは、不図示）と、管状周壁部１１１ａ〜１１１ｄの前端部に設けられ、第１の開口部としての被取付穴１５２の周縁に伸びる額縁状のフランジ部１１２とを備える。そして、フランジ部１１２は、防水封止材としての防水パッキン１１６（図３参照）を介して第２筐体１５０の外面に設けられた被取付穴１５２に当接する。一方、管状周壁部１１１ａ〜１１１ｄに囲まれた開口である第２の開口部１１１ｈ（図３参照）は、表面配置部材１２０によって封鎖される。詳細は後述するが、表面配置部材１２０は、タッチパネルから構成される設定操作機器１２１と、防水性粘着シート１２２を介して貼着される化粧シート１２３と、表面に液晶画面を有する表示機器１２４と、シャーシ１２５を介して接続された電子回路基板１２６とを具備している（図３参照）。背面ケース１３０は、管状周壁部１１１ａ〜１１１ｄの後端部の全周にわたって当接する封鎖周壁部１３１ａ〜１３１ｄ（１３１ｂ，１３１ｃは、不図示）と、当該封鎖周壁部１３１ａ〜１３１ｄの後端を封鎖する背面壁１３７とを備える。表面ケース１１０Ａは、管状周壁部１１１ａ〜１１１ｄの内部で、少なくとも上面と側面に位置する管状周壁部１１１ａ，１１１ｄに設けられ、排水穴（後述する）と、当該管状周壁部１１１ａ〜１１１ｄの内部に設けられた二重周壁部１１７Ｘ（図６（ａ）及び（ｂ），図７（ａ）及び（ｂ）参照）を備える。これら上面と側面に位置する管状周璧部に設けられた排水穴は二重周壁部１１７Ｘを介して互いに連通している。そして第２筐体１５０の内面で結露して、被取付板１５１の内面を伝って滑落し、排水穴に浸入した水滴は、二重周壁部１１７Ｘの表面に拡散付着し、過剰な水滴は、側面位置又は下面位置の管状周壁部１１１ａ〜１１１ｄに設けられた排水穴から排出される。図１中ＤFは、前方、ＤBは、後方を、ＤLは、右方向、ＤRは、左方向を、ＤUは、上方、ＤDは、下方を示す。
【００１９】
この防水型筐体ユニット１００Ａは、左右の方向に横長の略直方体の形状をしており、表面ケース１１０Ａと背面ケース１３０を係合部材で係合して一体化し、第１筐体１４０Ａを構成している。表面ケース１１０Ａは、左右上下の管状周壁部１１１ａ〜１１１ｄ（１１１ｂ，１１１ｃは、不図示）と、額縁状のフランジ部１１２とを上下２つの金型を用いて一体成形した樹脂成形品となっている。ここで用いられる樹脂としては、使用環境などに応じて適宜選択すればよく、ＰＥＴ、ポリプロピレン樹脂、ＡＢＳ樹脂、アクリル樹脂など、熱可塑性樹脂であればよい。
【００２０】
背面ケース１３０は、左右上下の封鎖周壁部１３１ａ〜１３１ｄ（１３１ｂ，１３１ｃは、不図示）と、背面壁１３７（図３、図４参照）とを上下２つの金型を用いて一体成形した樹脂成形品となっている。ここで用いられる樹脂としても、使用環境などに応じて適宜選択すればよく、ＰＥＴ、ポリプロピレン樹脂、ＡＢＳ樹脂、アクリル樹脂など、熱可塑性樹脂であればよい。
【００２１】
この第１筐体１４０Ａは、図２に示すように、第２筐体１５０の外壁面である被取付板１５１に設けられた被取付穴１５２の外面から嵌挿され、表面ケース１１０Ａのフランジ部１１２を残して他の部分は、第２筐体１５０の内部に収納されるようになっている。
【００２２】
なお、フランジ部１１２の開口１１２ｈは、後述する表示機器を備えた表面配置部材１２０によって封鎖され、管状周壁部１１１ａ〜１１１ｄには、後述する排水穴となるフック係合穴１１３ｃ，１１３ｄ（１１３ｃは、不図示）と、固定部材係合穴１１４、分散排水穴１１５とが設けられている。
【００２３】
次に、図３に、図１のII−II線による断面図を示すように、フランジ部１１２は、表面ケース１１０Ａの第２の開口部１１１ｈよりも内側に突出し突出壁１１２ｔを構成している。この突出壁１１２ｔの開口前端部１１２ｆには、タッチパネル或いは、シートキーを構成する設定操作機器１２１が配され、第２の開口部１１１ｈを塞ぐ。さらに外側をフランジ部１１２の開口１１２ｈを塞ぐように前端面１１２ｅｆに額縁状の防水性粘着シート１２２を介して貼着された柔軟薄板状の化粧シート１２３が覆っている。一方フランジ部１１２の突出壁１１２ｔの開口後端部１１２ｒには、液晶画面を有する表示機器１２４が装着されている。
【００２４】
なお、透光性の化粧シート１２３の裏面外周部には、黒色インクが塗布されて、両面接着シートである防水性粘着シート１２２の表面部が接着され、防水性粘着シート１２２の裏面部は、フランジ部１１２の前端面１１２ｅｆに接着されるようになっている。フランジ部１１２の突出壁１１２ｔの開口後端部１１２ｒには、表示機器１２４が搭載され、その後方には、金属板で構成されたシャーシ１２５と、電子回路部品１２７を搭載した回路基板としての電子回路基板１２６が積み重ねて固定されている。
【００２５】
設定操作機器１２１から電子回路基板１２６に至る一連の部材である表面配置部材１２０は、フランジ部１１２の開口１１２ｈの前端部を封鎖するように水密固定されている。なお、表示機器１２４は、液晶画面に代わるＬＥＤ表示器であってもよく、このＬＥＤ表示器は、シートキーによって構成された設定操作機器１２１と一体化しておくことも可能である。
【００２６】
フランジ部１１２の背面側には、第２筐体１５０の被取付板１５１の外面に当接する防水封止材としての防水パッキン１１６が設けられている。防水パッキンとしては、シールパッキン、テフロン（登録商標）、Ｏリング、オイルシール、フッ素樹脂、ゴムなどを用いる。
【００２７】
背面ケース１３０の封鎖周壁部１３１ａ〜１３１ｄは、表面ケース１１０Ａの管状周壁部１１１ａ〜１１１ｄで囲まれた開口である第２の開口部１１１ｈの開口後端部１１１ｒに当接するとともに、封鎖周壁部１３１ａ〜１３１ｄの後端を封鎖する背面壁１３７には、複数の通気窓１３８が設けられている。
【００２８】
次に、表面ケース１１０Ａと背面ケース１３０の一体化のための、フック係合穴１１３ｃ，１１３ｄと弾性フック１３３ｃ，１３３ｄとからなる係合部材について説明する。図１の分解構成図である図４において、表面ケース１１０Ａの管状周壁部１１１ａ〜１１１ｄには、一例として固定部材係合穴１１４が上下の管状周壁部１１１ａ，１１１ｂ（１１１ｂは、不図示）の各左右位置に設けられ、フック係合穴１１３ｃ，１１３ｄ（１１３ｃは、不図示）が左右の管状周壁部１１１ｃ，１１１ｄの上下位置に設けられ、分散排水穴１１５は、図示されていない。
【００２９】
これに対応して、背面ケース１３０の封鎖周壁部１３１ａ〜１３１ｄの内で、左右の封鎖周壁部１３１ｃ，１３１ｄの上下位置に弾性フック１３３ｃ，１３３ｄが設けられている。この弾性フック１３３ｃ，１３３ｄが、表面ケース１１０Ａのフック係合穴１１３ｃ，１１３ｄと係合することによって、表面ケース１１０Ａと背面ケース１３０とが一体化されて、第１筐体１４０Ａを構成する。
【００３０】
図５（ａ）は、複数の弾性フック１３３ｃ（１３３ｄ)によって表面ケース１１０Ａと背面ケース１３０とを一体化する前の状態を示し、図５（ｂ）は、一体化した後の状態を示している。表面ケース１１０Ａの管状周壁部１１１ｃ（図１の左側にあって、不図示）の内側に平行して設けられた二重周壁部１１７Ｘは、フランジ部１１２の開口１１２ｈ(図５（ａ）の左側）に金型の雄部材が挿入される開口部ｈAを有し、この雄部材によってフック係合穴１１３ｃが生成されるとともに、二重周壁部１１７Ｘの奥部に遮水壁１１８ａと通気穴１１８ｂとが生成されている。なお、金型の雄部材による開口部ｈAは、防水性粘着シート１２２によって封鎖されている。
【００３１】
背面ケース１３０の封鎖周壁部１３１ｃ（図４参照）に設けられた弾性フック１３３ｃは、通気穴１１８ｂから嵌入して、管状周壁部１１１ｃの後端部に当接して湾曲し、更に挿入されるとフック係合穴１１３ｃにおいて湾曲状態が直線復帰して、鉤部１３３ｔによって後退阻止され、複数の弾性フック１３３ｃ，１３３ｄが全てのフック係合穴１１３ｃ，１１３ｄに嵌入することによって表面ケース１１０Ａと背面ケース１３０とが一体化されるようになっている。
【００３２】
なお、遮水壁１１８ａは、排水穴となるフック係合穴１１３ｃ，１１３ｄから浸入した水滴が、二重周壁部１１７Ｘの表面に拡散付着したときに、内部に拡散し難いようにするものである。遮水壁１１８ａは、二重周壁部１１７Ｘの周面に直交するように設けられている。ここでは、さらに、遮水壁１１８ａの内側を破線で示すように、遮水壁１１８ａから二重周壁部１１７Ｘの内側に向かうにつれて徐々に外方に向かう傾斜面にし、遮水傾斜壁１１９を構成してもよい。遮水傾斜壁１１９によって二重周壁部１１７Ｘの内面を斜面にしておくと、第２筐体１５０の壁面である被取付板１５１が傾斜しているときに斜面によって効率よく水滴を排出することができる。従って、遮水壁１１８ａの裏側に水滴がたまるのを防止することができ、より効果的である。
【００３３】
図１及び図２に示した、第２筐体１５０への第１筐体１４０Ａの取付固定手段について説明する。図６（ａ）は、取付固定手段としての複数の固定部材１５３によって第１筐体１４０Ａを第２筐体１５０に取付固定する直前の状態を示し、図６（ｂ）は、取付完了の状態を示している。表面ケース１１０Ａの管状周壁部１１１ａ（図１参照）の内側に平行して設けられた二重周壁部１１７Ｘは、フランジ部１１２の開口１１２ｈ（図６（ａ）の左側）に金型の雄部材が挿入される開口部ｈAを有し、この雄部材によって固定部材係合穴１１４が生成されるとともに、二重周壁部１１７Ｘの奥部に遮水壁１１８ａと通気穴１１８ｂとが生成されている。なお、金型の雄部材による開口部ｈAは、防水性粘着シート１２２によって封鎖されている。
【００３４】
固定部材１５３は、金属製で、図示しない一対の係合爪１５４を備え、これを一対の固定部材係合穴１１４に係合させてから固定ねじ１５５を締付け回動すると、フランジ部１１２が防水パッキン１１６を介して被取付板１５１の外面に圧接されるようになっている。なお、遮水壁１１８ａは、排水穴となる固定部材係合穴１１４から浸入した水滴が、二重周壁部１１７Ｘの表面に拡散付着したときに、内部に拡散し難いようにするものである。ここでも、遮水壁１１８ａの内側を斜面にし遮水傾斜壁１１９としてもよい。遮水傾斜壁１１９によって二重周壁部１１７Ｘの内面を斜面にしておくと、第２筐体１５０の壁面である被取付板１５１が傾斜しているときに、斜面によって効率よく水滴を排出することができる。従って、遮水壁１１８ａの裏側に水滴がたまるのを防止することができ、より効果的である。また、遮水壁１１８ａは、管状周壁部１１１ａと二重周壁部１１７Ｘを一体化している。
【００３５】
次に、図１に示した表面ケース１１０Ａに設けられた分散排水穴１１５について説明する。図７（ａ）は、分散排水穴１１５の部分断面図を示し、図７（ｂ）は、図７（ａ）のＢ−Ｂ線による断面図を示している。表面ケース１１０Ａの管状周壁部１１１ａ（図１参照）の内側に平行して設けられた二重周壁部１１７Ｘは、フランジ部１１２の開口１１２ｈ（図７（ａ）の左側）に金型の雄部材が挿入される開口部ｈAを有し、この雄部材によって分散排水穴１１５が生成されるとともに、二重周壁部１１７Ｘの奥部に遮水壁１１８ａと通気穴１１８ｂとが生成されている。なお、金型の雄部材による開口部ｈAは、防水性粘着シート１２２によって封鎖される。
【００３６】
分散排水穴１１５は、他の排水穴となるフック係合穴１１３ｃ，１１３ｄや固定部材係合穴１１４の設置間隔が広い位置の、管状周壁部１１１ａ〜１１１ｄの適所に設けられるようになっている。これにより、フック係合穴１１３ｃ，１１３ｄや固定部材係合穴１１４が無い位置で、被取付板１５１の内面から滑落した水滴が、表面ケース１１０Ａを横切って背面ケース１３０の方へ流れるのを抑制するようになっている。そのため、分散排水穴１１５の断面は、図７（ｂ）に示すように水滴を集めるのに適した漏斗型にしておくことが望ましい。
【００３７】
なお、遮水壁１１８ａは、排水穴となる分散排水穴１１５から浸入した水滴が、二重周壁部１１７Ｘの表面に拡散付着したときに、内部に拡散し難いようにするものである。ここでも、遮水壁１１８ａの内側を斜面にし、遮水傾斜壁１１９とすることによって二重周壁部１１７Ｘの内面を斜面にしておくと、第２筐体１５０の壁面である被取付板１５１が傾斜しているときに、斜面によって効率よく水滴を排出することができる。従って、遮水壁１１８ａの裏側に水滴がたまるのを防止することができ、より効果的である。また、遮水壁１１８ａは、管状周壁部１１１ａと二重周壁部１１７Ｘを一体化している。
【００３８】
また、背面ケース１３０は、図８に背面図を示すように、背面ケース１３０の背面壁１３７には、複数の通気窓１３８が設けられている。そして、背面壁１３７の直交する２辺には、背面壁から起立する全体庇１３９ａが設けられている。この全体庇１３９ａは、第２筐体１５０の天井面から直接落下する水滴や、被取付板１５１の内面から滑落し、表面ケース１１０Ａの管状周壁部１１１ａ，１１１ｃと背面ケース１３０の封鎖周壁部１３１ａ，１３１ｃを横切って流れてくる水滴が通気窓１３８に浸入しないようにするものとなっている。
【００３９】
なお、全体庇１３９ａが背面壁１３７の２辺に設けられているのは、第１筐体１４０Ａの取付方向として、図１で示した横取付けと、これを時計回りに９０度回転させた縦取付けの２方向の取付方法があることを想定したものである。
【００４０】
なお、背面ケース１３０の変形例として図９に示すように、全体庇１３９ａに代えて個別庇１３９ｂを用いてもよい。図９に示すように、背面ケース１３０の背面壁１３７には、複数の通気窓１３８が設けられているとともに、各通気窓１３８の直交する２辺には、個別庇１３９ｂが設けられている。その目的は、全体庇１３９ａと同様であるが、全体庇１３９ａと個別庇１３９ｂは、併用することも可能である。但し、第１筐体１４０Ａの取付方向が、横取付けのみである場合、又は、縦取付けのみである場合に特定されていれば、直交する２辺に庇を設ける必要はない。
【００４１】
次に、図１〜図８のとおり構成された本実施の形態の防水型筐体ユニット１００Ａについて、第２筐体１５０の被取付板１５１の内面で結露して滑落した水滴の排水処理作用について詳細に説明する。図１０に構成と排水経路を示し、これは、図１におけるVIII−VIII線による簡略断面図に相当する。図１０（ａ）は、第１筐体を図１で示したように横取付けとした場合、図１０（ｂ）は、第１筐体を図１の状態から時計方向に９０度回転させた縦取付けとした場合の排水路の構成を示したものである。図１０（ａ）において、図４の上側位置にある管状周壁部１１１ａと、下側位置の管状周壁部１１１ｂの左右には、それぞれ一対の固定部材係合穴１１４が設けられている。また、図４の左側位置にある管状周壁部１１１ｃと、右側位置の管状周壁部１１１ｄの上下には、それぞれフック係合穴１１３ｃ，１１３ｄが設けられている。なお、実際には、横長上部の管状周壁部１１１ａには、図１で示すような分散排水穴１１５が設けられるか、上下の管状周壁部１１１ａ，１１１ｂの左右位置には、それぞれ図示しないフック係合穴１１３ａ，１１３ｂが一個ずつ設けられている。
【００４２】
管状周壁部１１１ａ〜１１１ｄの内面角部に設けられた、角部二重周壁１１１ａｃ，１１１ａｄ，１１１ｂｃ，１１１ｂｄは、図５〜図７において二重周壁部１１７Ｘとして総称して示したものであり、４つの角部二重周壁１１１ａｃ，１１１ａｄ，１１１ｂｃ，１１１ｂｄは、全体として第１の二重周壁部１１７ａを構成している。
【００４３】
第１筐体を図１で示したように横取付けとした場合、図１０（ａ）に示すように、管状周壁部１１１ａの固定部材係合穴１１４から浸入した水滴は、左右に分かれて管状周壁部１１１ｃ，１１１ｄに設けられたフック係合穴１１３ｃ，１１３ｄから排水される。
【００４４】
一方、第１筐体１４０Ａを図１で示した状態から９０度回転した縦取付けとした場合、図１０（ｂ）に示すように、管状周壁部１１１ｃのフック係合穴１１３ｃ，１１３ｃから浸入した水滴は、左右に分かれて管状周壁部１１１ａ，１１１ｂに設けられた固定部材係合穴１１４から排水される。
【００４５】
但し、水滴の大半は、角部二重周壁１１１ａｃ，１１１ａｄ、又は、角部二重周壁１１１ａｃ，１１１ｂｃの表面に拡散付着し、水滴状態となって排水されることは、まれな事態となっている。このようにして、角部二重周壁構造を有しているため、第１筐体内の水分を極めて効率よく排出することができる。
【００４６】
なお、表面ケース１１０Ａの二重周壁部１１７Ｘの構成については、前記実施の形態１のように角部のみを二重周壁とした角部二重周壁構造としたが、二重周壁構造については、種々の変形が可能である。二重周壁構造の変形例について説明する。
【００４７】
変形例１．
変形例１として、図１１に構成と排水経路を示す。図１１は、表面ケースの二重周壁部の構成と排水経路を示す模式図であり、図１１（ａ）は、横取付け、図１１（ｂ）は、縦取付けの場合を示している。図１１（ａ）において、図４の上側位置にある管状周壁部１１１ａと、下側位置の管状周壁部１１１ｂの左右には、それぞれ一対の固定部材係合穴１１４が設けられている。また、図４の左側位置にある管状周壁部１１１ｃと、右側位置の管状周壁部１１１ｄの上下には、それぞれフック係合穴１１３ｃ，１１３ｄが設けられている。なお、実際には、横長上部の管状周壁部１１１ａには、図１で示すような分散排水穴１１５が設けられるか、上下の管状周壁部１１１ａ，１１１ｂの左右位置には、それぞれ図示しないフック係合穴１１３ａ，１１３ｂが一個ずつ設けられている。
【００４８】
管状周壁部１１１ａ〜１１１ｄの内面に設けられた、周回二重周壁１１１ａａ，１１１ｂｂ，１１１ｃｃ，１１１ｄｄは、図５〜図７において二重周壁部１１７Ｘとして総称したものであり、４つの周回二重周壁１１１ａａ，１１１ｂｂ，１１１ｃｃ，１１１ｄｄは、全体として第２の二重周壁部１１７ｂを構成している。
【００４９】
この変形例１の構成では、図１１（ａ）において、管状周壁部１１１ａの固定部材係合穴１１４から浸入した水滴は、左右に分かれて管状周壁部１１１ｃ，１１１ｄに設けられたフック係合穴１１３ｃ，１１３ｄから排水されるか、管状周壁部１１１ｂに設けられた固定部材係合穴１１４から排水される。
【００５０】
図１１（ｂ）において、管状周壁部１１１ｃのフック係合穴１１３ｃ，１１３ｃから浸入した水滴は、左右に分かれて管状周壁部１１１ａ，１１１ｂに設けられた固定部材係合穴１１４から排水されるか、管状周壁部１１１ｄに設けられたフック係合穴１１３ｄから排水される。但し、水滴の大半は、周回二重周壁１１１ａａ又は、周回二重周壁１１１ｃｃの表面に拡散付着し、水滴状態となって排水されることは、まれな事態となっている。
【００５１】
変形例１の構成の場合、完全２重周壁構造を持つため、構造は、複雑ではあるが、水滴除去効果は、実施の形態１の場合よりも、高くなっている。
【００５２】
変形例２．
変形例２として、図１２に構成と排水経路を示す。図１２は、表面ケースの二重周壁部の構成と排水経路を示す模式図であり、図１２（ａ）は、横取付けとした場合、図１２（ｂ）は、縦取付けとした場合の排水路の構成を示したものである。図１２（ａ）において、図４の上側位置にある管状周壁部１１１ａと、下側位置の管状周壁部１１１ｂの左右には、それぞれ一対の固定部材係合穴１１４が設けられている。また、図４の左側位置にある管状周壁部１１１ｃと、右側位置の管状周壁部１１１ｄの上下には、それぞれフック係合穴１１３ｃ，１１３ｄが設けられている。なお、実際には、横長上部の管状周壁部１１１ａには、図１で示すような分散排水穴１１５が設けられるか、上下の管状周壁部１１１ａ，１１１ｂの左右位置には、それぞれ図示しないフック係合穴１１３ａ，１１３ｂが一個ずつ設けられている。
【００５３】
管状周壁部１１１ａ〜１１１ｄの内面角部に設けられた、角部傾斜付二重周壁２１１ａｃ，２１１ａｄ，２１１ｂｃ，２１１ｂｄは、図５〜図７において二重周壁部１１７Ｘとして総称したものであり、４つの角部傾斜付二重周壁２１１ａｃ，２１１ａｄ，２１１ｂｃ，２１１ｂｄは、全体として第３の二重周壁部１１７ｃを構成している。
【００５４】
図１２（ａ）において、管状周壁部１１１ａの固定部材係合穴１１４から浸入した水滴は、左右に分かれて管状周壁部１１１ｃ，１１１ｄに設けられたフック係合穴１１３ｃ，１１３ｄから排水される。図１２（ｂ）において、管状周壁部１１１ｃのフック係合穴１１３ｃ，１１３ｃから浸入した水滴は、左右に分かれて管状周壁部１１１ａ，１１１ｂに設けられた固定部材係合穴１１４から排水される。但し、水滴の大半は、角部傾斜付二重周壁２１１ａｃ，２１１ａｄ、又は、角部傾斜付二重周壁２１１ａｃ，２１１ｂｃの表面に拡散付着し、水滴状態となって排水されることは、まれな事態となっている。
【００５５】
変形例３．
変形例３として、図１３に構成と排水経路を示す。図１３は、表面ケースの二重周壁部の構成と排水経路を示す模式図であり、図１３（ａ）は、横取付け、図１３（ｂ）は、縦取付けの場合を示している。図１３（ａ）において、図４の上側位置にある管状周壁部１１１ａと、下側位置の管状周壁部１１１ｂの左右には、それぞれ一対の固定部材係合穴１１４が設けられている。また、図４の左側位置にある管状周壁部１１１ｃと、右側位置の管状周壁部１１１ｄの上下には、それぞれフック係合穴１１３ｃ，１１３ｄが設けられている。なお、実際には、横長上部の管状周壁部１１１ａには、図１で示すような分散排水穴１１５が設けられるか、上下の管状周壁部１１１ａ，１１１ｂの左右位置には、それぞれ図示しないフック係合穴１１３ａ，１１３ｂが一個ずつ設けられている。
【００５６】
管状周壁部１１１ａ〜１１１ｄの内面に設けられた、周回二重周壁３１１ａａ，３１１ｂａ，３１１ｃｃ，３１１ｄｄと、これを連結する角部斜面二重周壁３１１ａｃ，３１１ａｄ，３１１ｂｃ，３１１ｂｄとは、図５〜図７において二重周壁部１１７Ｘとして総称したものであり、４つの周回二重周壁３１１ａａ，３１１ｂａ，３１１ｃｃ，３１１ｄｄと角部斜面二重周壁３１１ａｃ，３１１ａｄ，３１１ｂｃ，３１１ｂｄは、全体として第４の二重周壁部１１７ｄを構成している。
【００５７】
図１３（ａ）において、管状周壁部１１１ａの固定部材係合穴１１４から浸入した水滴は、左右に分かれて管状周壁部１１１ｃ，１１１ｄに設けられたフック係合穴１１３ｃ，１１３ｄから排水されるか、管状周壁部１１１ｂに設けられた固定部材係合穴１１４から排水される。図１３（ｂ）において、管状周壁部１１１ｃのフック係合穴１１３ｃ，１１３ｃから浸入した水滴は、左右に分かれて管状周壁部１１１ａ，１１１ｂに設けられた固定部材係合穴１１４から排水されるか、管状周壁部１１１ｄに設けられたフック係合穴１１３ｄ，１１３ｄから排水される。但し、水滴の大半は、周回二重周壁３１１ａａ又は、周回二重周壁３１１ｃｃの表面に拡散付着し、水滴状態となって排水されることは、まれな事態となっている。
【００５８】
以上説明したように、本実施の形態１による防水型筐体ユニット１００Ａにおいては、これら管状周壁部１１１ａ〜１１１ｄと、フランジ部１１２と、排水穴１１３ｃ，１１３ｄ，１１４，１１５と、二重周壁部１１７Ｘとを備えた表面ケース１１０Ａは、フランジ部１１２の開口１１２ｈ側と開口後端部１１２ｒ側に位置して互いに突合する一対の金型によって容易に成形される。
【００５９】
また、かかる構成によれば第２筐体１５０の内面で結露して、被取付板１５１の内面を伝って滑落し、排水穴１１３ｃ，１１３ｄ，１１４，１１５に浸入した水滴は、二重周壁部１１７Ｘの表面に拡散付着し、過剰な水滴は、側面位置又は下面位置の管状周壁部に設けられた排水穴１１３ｃ，１１３ｄ，１１４，１１５から排出されるようになっている。
【００６０】
係合部材は、管状周壁部１１１ａ〜１１１ｄの中の少なくとも一部の管状周壁部に設けられた複数のフック係合穴１１３ｃ，１１３ｄと、封鎖周壁部１３１ａ〜１３１ｄの中の少なくとも一部の封鎖周壁部に設けられた弾性フック１３３ｃ，１３３ｄとによって構成される。弾性フック１３３ｃ，１３３ｄが係合する複数のフック係合穴１１３ｃ，１１３ｄは、排水穴の一部を構成している。このように封鎖周壁部に設けられた弾性フックを管状周壁部に設けられたフック係合穴に係合することによって、表面ケースと背面ケースが一体化されるようになっている。従って、表面ケースと背面ケースとは、簡単に一体化できる。しかもフック係合穴は、排水穴として多目的に使用することができる。
【００６１】
また、取付固定手段を構成する固定部材１５３は、管状周壁部１１１ａ〜１１１ｄの中の少なくとも一部の管状周壁部に対して設けられた、１個又は複数個の固定部材係合穴１１４に嵌入する係合爪１５４と、固定ねじ１５５を備えている。そしてこの固定ねじ１５５を締付け回動することによって、第２筐体１５０の被取付板１５１の内面と、係合爪１５４が当接する固定部材係合穴１１４の後端面との距離を隔開する（拡げる）。これにより、フランジ部１１２が防水パッキン１１６を介して被取付板１５１の外面に押圧され、複数個の固定部材１５３によって第１筐体１４０Ａが第２筐体１５０に取付固定される。そして複数の固定部材１５３に対応して設けられた複数の固定部材係合穴１１４は、排水穴の一部を構成している。このように、第１筐体１４０Ａは、複数個の固定部材１５３によって第２筐体１５０に取付け固定され、この固定部材１５３は、表面ケース１１０Ａの管状周壁部１１１ａ〜１１１ｄに設けられた固定部材係合穴１１４に挿入して使用され、複数個の固定部材係合穴１１４は、結露した水滴の排水穴を兼用するようになっている。従って、第２筐体１５０の被取付板１５１にねじ穴加工を施す必要がないので、薄板の被取付板が使用できる。また、固定ボルトのねじ頭が外面に露出して美観を損ねたり、第２筐体１５０の内面側にナットをねじ込むための筐体内外での取付け作業を必要としない。しかも、固定部材係合穴１１４を排水穴として多目的に使用することができる。
【００６２】
表面ケース１１０Ａを構成する管状周壁部１１１ａ〜１１１ｄのうち、少なくとも、取付状態で上面に位置する管状周壁部には、分散排水穴１１５が設けられ、分散排水穴１１５は、排水穴を構成する固定部材係合穴１１４とフック係合穴１１３ｃ，１１３ｄの敷設間隔が広い部位に敷設されて排水穴の一部を構成するようになっている。従って、表面ケース１１０Ａの管状周壁部１１１ａ〜１１１ｄには、分散排水穴１１５が設けられ、この分散排水穴と固定部材係合穴とフック係合穴とは、全体として略均一に配置された排水穴を構成している。従って、結露した水滴が管状周壁部の表面を伝って、背面ケースの封鎖周壁部の表面に移動流出するのを抑制することができる。
【００６３】
排水穴を構成する、固定部材係合穴１１４、フック係合穴１１３ｃ，１１３ｄ、分散排水穴１１５と、二重周壁部１１７Ｘの排水面は、フランジ部１１２の開口前端部１１２ｆ側と開口後端部１１２ｒ側に位置して互いに突合する一対の金型のうち、開口前端部１１２ｆ側に位置する金型の雄部材によって生成される。一対の金型によってフランジ部１１２の開口前端部１１２ｆ側に発生する開口１１２ｈは、防水性粘着シート１２２によって封鎖されるとともに、防水性粘着シート１２２の外面全体には、透明性の化粧シート１２３が接着固定されている。以上のとおり、管状周壁部の排水穴と二重周壁部の排水面とは、フランジ部１１２の開口前端部１１２ｆに位置する金型の雄部材で生成される。この金型の雄部材による開口部ｈAは、防水性粘着シート１２２と化粧シート１２３によって封鎖されている。従って、バリ取りの必要もなく、スライドコアを持たない簡単な金型構造によって、複雑な形状の排水穴と排水面を表面ケースの内部に構成することができる。
【００６４】
表面ケース１１０Ａに設けられた二重周壁部１１７Ｘの排水面は、管状周壁部１１１ａ〜１１１ｄの開口後端部１１１ｒ側において遮水壁１１８ａを有するか又は、遮水傾斜壁１１９を有している。以上のとおり、排水路となる二重周壁部の後端部は、遮水壁又は遮水傾斜壁を有している。従って、排水穴から流入した水滴が、排水路となる二重周壁部を横切って、第１筐体に内蔵された回路基板などに浸水するのを防止することができる。なお、第２筐体の被取付板が天地方向に対して傾斜している場合には、遮水傾斜壁にしておくと、二重周壁部に水溜りができるのを防止することができる。
【００６５】
背面ケース１３０の封鎖周壁部１３１ａ〜１３１ｄ、又は、背面壁１３７には、複数の通気窓１３８が設けられ、排水穴１１３ｃ，１１３ｄ，１１４，１１５と複数の通気窓１３８とは、二重周壁部１１７Ｘの通気穴１１８ｂを介して相互に連通している。以上のとおり、背面ケースには、複数の通気窓が設けられ、この通気窓は、表面ケースの排水穴と連通している。従って、第１筐体内１４０Ａの発生熱を効率的に第２筐体内１５０に放出することができる。
【００６６】
複数の通気窓１３８の全ては、背面壁１３７に設けられるとともに、第１筐体１４０Ａを横取付け、又は、縦取付けした場合に、背面壁１３７の上部となる１辺又は、隣接した他の１辺に対して全体庇１３９ａを設けている。第１筐体１４０Ａが横取付け及び縦取付けの兼用である場合には、全体庇１３９ａは、背面壁１３７又は、通気窓１３８の２辺に対して設けられている。このように、背面壁には、複数の通気窓が設けられ、背面壁の１辺又は、２辺には、全体庇が設けられている。従って、第２筐体の天井壁から水滴が落下したり、被取付板の内面で結露した水滴が表面ケースの排水穴に入らないで管状周壁部の壁面を伝って背面ケースの封鎖周壁部に至った場合であっても、水滴が通気窓から第１筐体内に浸入するのを防止することができる。なお、この全体庇１３９ａに代えて、複数の通気窓１３８の個々の１辺又は、隣接した他の１辺に個別庇１３９ｂを設けようにしてもよい。また、全体庇１３９ａ又は、個別庇１３９ｂは、両方が併用されてもよい。第１筐体１４０Ａが横取付け及び縦取付けの兼用である場合には、全体庇１３９ａ又は、個別庇１３９ｂは、背面壁１３７又は、通気窓１３８の２辺に対して設けられている。このように、背面壁には、複数の通気窓が設けられ、背面壁の１辺又は、２辺には、全体庇が設けられ，通気窓の１辺又は、２辺には、個別庇が設けられ、全体庇又は、個別庇のいずれか一方又は、両方が併用されるようになっている。
【００６７】
表面ケース１１０Ａの上下左右に位置する管状周壁部１１１ａ〜１１１ｄと平行して設けられた二重周壁部１１７Ｘは、少なくとも上側左右及び下側左右の４箇所の角部に設けられた角部二重周壁１１１ａｄ，１１１ａｃ，１１１ｂｄ，１１１ｂｃを有する第１の二重周壁部１１７ａである。従って、管状周壁部１１１ａ〜１１１ｄの内で，水平上部位置となった管状周壁部の排水穴に流入した水滴は、４つの角部二重周壁１１１ａｄ，１１１ａｃ，１１１ｂｄ，１１１ｂｃのうちのいずれか二つに分かれて垂直左右位置或いは、水平下部位置の管状周壁部の排水穴から流出するか、角部二重周壁１１１ａｄ，１１１ａｃ，１１１ｂｄ，１１１ｂｃの表面に拡散付着するようになっている。あるいは４つの角部二重周壁１１１ａｄ，１１１ａｃ，１１１ｂｄ，１１１ｂｃに代えて、上下左右の二重周壁部を相互に連結した周回二重周壁１１１ａａ，１１１ｂｂ，１１１ｃｃ，１１１ｄｄを有する第２の二重周壁部１１７ｂであってもよい。以上のとおり、表面ケースに設けられた二重周壁部は、管状周壁部の４隅に設けられた角部二重周壁又は、周回二重周壁によって構成されている。従って，水平上部位置となった管状周壁部の排水穴に流入した水滴は、角部二重周壁又は、周回二重周壁の表面に拡散付着し、過剰な水滴は、左右の角部二重周壁又は、周回二重周壁に分かれて、垂直左右位置或いは、水平下部位置の管状周壁部の排水穴から排出することができる。
【００６８】
表面ケース１１０Ａの上下左右に位置する管状周壁部１１１ａ〜１１１ｄと平行して設けられた二重周壁部１１７Ｘは、少なくとも上側左右及び下側左右の４箇所の角部に設けられた角部傾斜付二重周壁２１１ａｄ，２１１ａｃ，２１１ｂｄ，２１１ｂｃを有する第３の二重周壁部１１７ｃである。従って管状周壁部１１１ａ〜１１１ｄの内で、水平上部位置となった管状周壁部の排水穴に流入した水滴は、角部傾斜付二重周壁２１１ａｄ，２１１ａｃ，２１１ｂｄ，２１１ｂｃのいずれか二つに分かれて垂直左右位置或いは、水平下部位置の管状周壁部の排水穴から流出するか、角部傾斜付二重周壁２１１ａｃ，２１１ａｄ，２１１ｂｄ，２１１ｂｃの表面に拡散付着するようになっている。
【００６９】
あるいは又、二重周壁部１１７Ｘを、上下左右の周回二重周壁３１１ａａ，３１１ｂａ，３１１ｃｃ，３１１ｄｄを相互に連結した角部斜面二重周壁３１１ａｃ，３１１ａｄ，３１１ｂｃ，３１１ｂｄを有する第４の二重周壁部１１７ｄで構成してもよい。この場合、管状周壁部１１１ａ〜１１１ｄの内で、水平上部位置となった管状周壁部の排水穴に流入した水滴は、周回二重周壁３１１ａａ，３１１ｂａ，３１１ｃｃ，３１１ｄｄと角部斜面二重周壁３１１ａｃ，３１１ａｄ，３１１ｂｃ，３１１ｂｄのいずれか二つに分かれて垂直左右位置或いは、水平下部位置の管状周壁部の排水穴から流出するか、或いは、周回二重周壁３１１ａａ，３１１ｂａ，３１１ｃｃ，３１１ｄｄと角部斜面二重周壁３１１ａｃ，３１１ａｄ，３１１ｂｃ，３１１ｂｄの表面に拡散付着するようになっている。
【００７０】
以上のとおり、表面ケースに設けられた二重周壁部は、管状周壁部の４隅に設けられた角部傾斜付二重周壁であるか、又は、周回二重周壁と角部斜面二重周壁によって構成されている。従って、水平上部位置となった管状周壁部の排水穴に流入した水滴は、角部傾斜付二重周壁、又は、周回二重周壁と角部斜面二重周壁の表面に拡散付着し、過剰な水滴は、左右の角部傾斜付二重周壁、又は、周回二重周壁と角部斜面二重周壁に分かれて、垂直左右位置或いは、水平下部位置の、管状周壁部の排水穴から排出することができ、排水路の一部が斜面となっていることによって、水滴の排出速度が向上する。
【００７１】
実施の形態２.
図１４は、実施の形態２の防水型筐体ユニットの第１筐体の分解図である。図１５（ａ）及び（ｂ）は、この第１筐体を構成する表面ケースと背面ケースの一体化のための係合部材を示す部分断面図である。図１６（ａ）及び（ｂ）は、この第１筐体の第２筐体の壁面への取付固定手段を示す部分断面図である。図１７（ａ）は、第１筐体を構成する表面ケースに設けられた分散排水穴を示す部分断面図であり、（ｂ）は、（ａ）のＢ−Ｂ断面を示す図である。各図において、実施の形態１で示したのと同一符号は、同一又は、相当部分を示している。
【００７２】
本実施の形態では、フランジ部１１２のフック係合穴１１３ａ〜１１３ｄ及び固定部材係合穴１１４の開口部ｈBの形状が異なり、フランジ部１１２前面に鍔部１１２Ｔを有することを特徴とするものである。この変更に伴い、形状加工の容易化をはかるべく、フランジ部１１２のフック係合穴１１３ａ〜１１３ｄ及び固定部材係合穴１１４の開口部ｈBの反対側である後端部の開口を開放端とし、通気穴２１８ｂを大きくしている。かかる構成によれば、通気穴２１８ｂを大きくしているため、一対の金型の雄部材が挿入される開口部とすることができ、樹脂成形に際し一対の金型で容易に成形可能である。他の部分は、実施の形態１と同様である。
【００７３】
先ず、図１４において、防水型筐体ユニット１００Ｂは、表面ケース１１０Ｂと背面ケース１３０によって構成された第１筐体１４０Ｂで構成される。図３で示したのと同様、表面ケース１１０Ｂの開口部には、設定操作機器１２１、表示機器１２４、シャーシ１２５、電子回路基板１２６を含む表面配置部材１２０が設けられている。そして、表面ケース１１０Ｂの開口部ｈBは、防水性粘着シート１２２と化粧シート１２３によって封鎖されている。
【００７４】
図１４に示した表面ケース１１０Ｂと背面ケース１３０の一体化のための係合部材の構成図である図１５において、図１５（ａ）は、複数の弾性フック１３３ｃ（・１３３ｄ)によって表面ケース１１０Ｂと背面ケース１３０とを一体化する前の状態を示し、図１５（ｂ）は、一体化した後の状態を示している。
【００７５】
表面ケース１１０Ｂの管状周壁部１１１ｃ（図１４では左側にあって、不図示、図１５参照）の内側に平行して設けられた二重周壁部１１７Ｙは、フランジ部１１２の前後(図１５（ａ）の左右）に一対の金型の雄部材が挿入される開口部ｈBを有し、この雄部材によってフック係合穴１１３ｃが生成されるとともに、二重周壁部１１７Ｙの右側に通気穴２１８ｂが生成されている。なお、一対の金型によって形成される開口部ｈBは、防水性粘着シート１２２によって封鎖されている。
【００７６】
背面ケース１３０の封鎖周壁部１３１ｃ（図１４参照）に設けられた弾性フック１３３ｃは、通気穴２１８ｂから嵌入して、管状周壁部１１１ｃの後端部に当接して湾曲する。そして、更に挿入されるとフック係合穴１１３ｃにおいて湾曲状態が直線復帰して、鉤部１３３ｔによって後退を阻止される。複数の弾性フック１３３ｃ，１３３ｄが全てのフック係合穴１１３ｃ，１１３ｄに嵌入することによって表面ケース１１０Ｂと背面ケース１３０とが一体化されるようになっている。
【００７７】
なお、この形式では、排水穴となるフック係合穴１１３ｃ，１１３ｄから浸入した水滴が、二重周壁部１１７Ｙの表面に拡散付着したときに、二重周壁部１１７Ｙの通気穴２１８ｂから益出する可能性があり、その出口付近には、粘着材を塗布することで、別部材で形成した遮水壁２１８ａを設けるのが望ましい。
【００７８】
図１４に示す防水型筐体ユニット１００Ｂの取付固定手段を示す部分断面図である図１６において、図１６（ａ）は、複数の固定部材１５３によって第１筐体１４０Ｂを第２筐体１５０に取付固定する直前の状態を示し、図１６（ｂ）は、取付完了の状態を示している。
【００７９】
表面ケース１１０Ｂの管状周壁部１１１ａ（図１４参照）の内側に平行して設けられた二重周壁部１１７Ｙは、フランジ部１１２の前後（図１６（ａ）の左右）に一対の金型の雄部材が挿入される開口部ｈBを有し、この雄部材によって固定部材係合穴１１４が生成されるとともに、二重周壁部１１７Ｙの右側に通気穴２１８ｂが生成されている。なお、一対の金型による開口部ｈBの外側（図では左側）は、防水性粘着シート１２２によって封鎖されている。
【００８０】
金具である固定部材１５３は、図示しない一対の係合爪１５４を備え、これを一対の固定部材係合穴１１４に係合させてから固定ねじ１５５を締め付け回動すると、フランジ部１１２が防水パッキン１１６を介して被取付板１５１の外面に圧接されるようになっている。なお、この形式では、排水穴となる固定部材係合穴１１４から浸入した水滴が、二重周壁部１１７Ｙの表面に拡散付着したときに、二重周壁部１１７Ｙの通気穴２１８ｂから益出する可能性があり、その出口付近には、粘着材を塗布し、別部材で形成した遮水壁２１８ａを設けるのが望ましい。
【００８１】
図１７（ａ）および（ｂ）は、図１４に示す防水型筐体ユニット１００Ｂの表面ケース１１０Ｂに設けられた分散排水穴１１５を示す部分断面図である。図１７（ａ）は、分散排水穴１１５の部分断面図を示し、図１７（ｂ）は、図１７（ａ）のＢ−Ｂ線による断面図を示している。
【００８２】
表面ケース１１０Ｂの管状周壁部１１１ａ（図１４参照）の内側に平行して設けられた二重周壁部１１７Ｙは、フランジ部１１２の前後（図１７（ａ）の左右）に一対の金型の雄部材が挿入される開口部ｈBを有し、この雄部材によって分散排水穴１１５が生成されるとともに、二重周壁部１１７Ｙの右側に通気穴２１８ｂが生成されている。なお、一対の金型による左側の開口部ｈBは、防水性粘着シート１２２によって封鎖されている。
【００８３】
分散排水穴１１５は、他の排水穴となるフック係合穴１１３ｃ，１１３ｄや固定部材係合穴１１４の設置間隔が広い位置の、管状周壁部１１１ａ〜１１１ｄの適所に設けられるようになっている。これにより、フック係合穴１１３ｃ，１１３ｄや固定部材係合穴１１４が無い位置で、被取付板１５１の内面から滑落した水滴が、表面ケース１１０Ｂを横切って背面ケース１３０の方へ流れるのを抑制するようになっている。そのため、分散排水穴１１５の断面は、水滴を集めるのに適した漏斗型（図１７（ｂ）参照）にしておくことが望ましい。なお、この形式では、排水穴となる分散排水穴１１５から浸入した水滴が、二重周壁部１１７Ｙの表面に拡散付着したときに、二重周壁部１１７Ｙの通気穴２１８ｂから益出する可能性があり、その出口付近には、粘着材を塗布して硬化させるなどの方法により別部材で形成した遮水壁２１８ａを設けるのが望ましい。
【００８４】
図１４に示す防水型筐体ユニット１００Ｂの背面ケース１３０の構成は、図８で説明した実施の形態１の背面ケースと同様である。ただし、各実施の形態において、第２筐体１５０の天井面から落下する水滴は、第２筐体１５０内部に設けられた遮水板で防護するものとすれば、図８における全体庇１３９ａや図９に示した個別庇１３９ｂを設ける必要はなく、通気窓１３８は、封鎖周壁部１３１ａ〜１３１ｄにも設けることができる。
【００８５】
また、図１５（ａ）および（ｂ）から図１７（ａ）および（ｂ）における二重周壁部１１７Ｙは、図１０（ａ）および（ｂ）から図１３（ａ）および（ｂ）における、周回二重周壁１１１ａａ〜１１１ｄｄ、３１１ａａ〜３１１ｄｄ、角部二重周壁１１１ａｃ，１１１ａｄ，１１１ｂｄ，１１１ｂｃ、角部傾斜付二重周壁２１１ａｃ，２１１ａｄ，２１１ｂｄ，２１１ｂｃ、角部斜面二重周壁３１１ａｃ，３１１ａｄ，３１１ｂｄ，３１１ｂｃを総称したものとなっている。
【００８６】
背面ケース１３０の封鎖周壁部１３１ａ〜１３１ｄ、又は、背面壁１３７には、複数の通気窓１３８が設けられ、排水穴１１３ｃ，１１３ｄ，１１４，１１５と複数の通気窓１３８とは、二重周壁部１１７Ｙの通気穴２１８ｂを介して相互に連通している。
【００８７】
以上のとおり、本実施の形態では、背面ケース１３０には、複数の通気窓が設けられ、この通気窓は、表面ケース１１０Ｂの排水穴と連通している。従って、実施の形態１と同様に第１筐体１４０Ｂ内の発生熱を効率的に第２筐体１５０内に放出することができる。
【００８８】
複数の通気窓１３８の全ては、背面壁１３７に設けられるとともに、第１筐体１４０Ｂを横取付け、又は、縦取付けした場合に、背面壁１３７の上部となる１辺又は、隣接した他の１辺に対して全体庇１３９ａを設けるか、複数の通気窓１３８の個々の１辺又は、隣接した他の１辺に個別庇１３９ｂを設けている。全体庇１３９ａ又は、個別庇１３９ｂのいずれか一方又は、両方が併用されてもよい。第１筐体１４０Ｂが横取付け及び縦取付けの兼用である場合には、全体庇１３９ａ又は、個別庇１３９ｂは、背面壁１３７又は、通気窓１３８の２辺に対して設けられている。
【００８９】
以上説明したように、本実施の形態においては、背面壁１３７には、複数の通気窓１３８が設けられ、背面壁１３７の１辺又は、２辺には、全体庇１３９ａが設けられ、通気窓の１辺又は、２辺には、個別庇１３９ｂが設けられ、全体庇１３９ａ又は、個別庇１３９ｂのいずれか一方又は、両方が併用されるようになっていてもよい。従って、実施の形態１と同様に第２筐体の天井壁から水滴が落下したり、被取付板の内面で結露した水滴が表面ケースの排水穴に入らないで管状周壁部の壁面を伝って背面ケースの封鎖周壁部に至った場合であっても、水滴が通気窓から第１筐体内に浸入するのを防止することができる。
【００９０】
本実施の形態においても表面ケース１１０Ｂの上下左右に位置する管状周壁部１１１ａ〜１１１ｄと平行して設けられた二重周壁部１１７Ｙは、前記実施の形態１と同様、少なくとも上側左右及び下側左右の４箇所の角部に設けられた角部二重周壁１１１ａｄ，１１１ａｃ，１１１ｂｄ，１１１ｂｃを有する第１の二重周壁部１１７ａであるか、又は、上下左右の二重周壁部を相互に連結した周回二重周壁１１１ａａ，１１１ｂｂ，１１１ｃｃ，１１１ｄｄを有する第２の二重周壁部１１７ｂのいずれかで構成される。従って管状周壁部１１１ａ〜１１１ｄの内で、水平上部位置となった管状周壁部の排水穴に流入した水滴は、角部二重周壁１１１ａｄ，１１１ａｃ，１１１ｂｄ，１１１ｂｃ、又は、周回二重周壁１１１ａａ，１１１ｂｂ，１１１ｃｃ，１１１ｄｄのいずれか二つに分かれて垂直左右位置或いは、水平下部位置の管状周壁部の排水穴から流出する。あるいはまた、角部二重周壁１１１ａｄ，１１１ａｃ，１１１ｂｄ，１１１ｂｃ或いは、周回二重周壁１１１ａａ，１１１ｂｂ，１１１ｃｃ，１１１ｄｄの表面に拡散付着するようになっている。
【００９１】
また、本実施の形態においても表面ケースに設けられた二重周壁部は、管状周壁部の４隅に設けられた角部二重周壁又は、周回二重周壁によって構成されている。従って、実施の形態１と同様に水平上部位置となった管状周壁部の排水穴に流入した水滴は、角部二重周壁又は、周回二重周壁の表面に拡散付着し、過剰な水滴は、左右の角部二重周壁又は、周回二重周壁に分かれて、垂直左右位置或いは、水平下部位置の、管状周壁部の排水穴から排出することができる。
【００９２】
また表面ケース１１０Ｂの上下左右に位置する管状周壁部１１１ａ〜１１１ｄと平行して設けられた二重周壁部１１７Ｙは、少なくとも上側左右及び下側左右の４箇所の角部に設けられた角部傾斜付二重周壁２１１ａｄ，２１１ａｃ，２１１ｂｄ，２１１ｂｃを有する第３の二重周壁部１１７ｃであってもよい。又、上下左右の周回二重周壁３１１ａａ，３１１ｂａ，３１１ｃｃ，３１１ｄｄを相互に連結した角部斜面二重周壁３１１ａｃ，３１１ａｄ，３１１ｂｃ，３１１ｂｄを有する第４の二重周壁部１１７ｄのいずれかであってもよい。管状周壁部１１１ａ〜１１１ｄの内で、水平上部位置となった管状周壁部の排水穴に流入した水滴は、角部傾斜付二重周壁２１１ａｄ，２１１ａｃ，２１１ｂｄ，２１１ｂｃ、又は、周回二重周壁３１１ａａ，３１１ｂａ，３１１ｃｃ，３１１ｄｄと角部斜面二重周壁３１１ａｃ，３１１ａｄ，３１１ｂｃ，３１１ｂｄのいずれか二つに分かれて垂直左右位置或いは、水平下部位置の管状周壁部の排水穴から流出するか、角部傾斜付二重周壁２１１ａｃ，２１１ａｄ，２１１ｂｄ，２１１ｂｃ、或いは、周回二重周壁３１１ａａ，３１１ｂａ，３１１ｃｃ，３１１ｄｄと角部斜面二重周壁３１１ａｃ，３１１ａｄ，３１１ｂｃ，３１１ｂｄの表面に拡散付着するようになっている。
【００９３】
さらにまた、表面ケースに設けられた二重周壁部は、管状周壁部の４隅に設けられた角部傾斜付二重周壁であるか、又は、周回二重周壁と角部斜面二重周壁によって構成されている。従って、水平上部位置となった管状周壁部の排水穴に流入した水滴は、角部傾斜付二重周壁、又は、周回二重周壁と角部斜面二重周壁の表面に拡散付着し、過剰な水滴は、左右の角部傾斜付二重周壁、又は、周回二重周壁と角部斜面二重周壁に分かれて、垂直左右位置或いは、水平下部位置の、管状周壁部の排水穴から排出することができ、排水路の一部が斜面となっていることによって、水滴の排出速度が向上する。
【００９４】
また、前述した各実施の形態が備える各要素は、技術的に可能な限りにおいて複合させることができ、これらを組み合わせたものも実施の形態の特徴を含む限り実施形態の範囲に包含される。その他、実施形態の思想の範疇において、当業者であれば、各種の変形例を想到し得るものであり、それら変形例についても実施の形態の範囲に属するものとする。
【００９５】
例えば、上記実施の形態１から実施の形態２またはそれぞれに示される全構成要件からいくつかの構成要件が削除されても、発明が解決しようとする課題の欄で述べた課題が解決できる場合には、この構成要件が削除された構成が発明として抽出されうる。更に、上記実施の形態１から実施の形態２にわたる構成要件を適宜組み合わせてもよい。
【００９６】
本発明のいくつかの実施の形態を説明したが、これらの実施の形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。
【符号の説明】
【００９７】
１００Ａ，１００Ｂ  防水型筐体ユニット、１１０Ａ，１１０Ｂ  表面ケース、１１１ａ〜１１１ｄ  管状周壁部、１１１ａｃ  角部二重周壁、１１１ａｄ  角部二重周壁、１１１ｂｄ  角部二重周壁、１１１ｂｃ  角部二重周壁、１１１ａａ〜１１１ｄｄ  周回二重周壁、１１１ｈ  第２の開口部、１１１ｒ  開口後端部、１１２  フランジ部、１１２ｈ  フランジ部の開口、１１２ｔ  突出壁、１１２ｅｆ  フランジの前端面、１１２ｆ  開口前端部、１１２ｒ  開口後端部、１１３ｃ，１１３ｄ  排水穴（フック係合穴）、１１４  排水穴（固定部材係合穴）、１１５  排水穴（分散排水穴）、１１６  防水パッキン、１１７ａ〜１１７ｄ  第１〜第４の二重周壁部、１１７Ｘ，１１７Ｙ  二重周壁部、１１８ａ，２１８ａ  遮水壁、１１８ｂ，２１８ｂ  通気穴、１１９  遮水傾斜壁、１２０  表面配置部材、１２１  設定操作機器（タッチパネル）、１２２  防水性粘着シート、１２３  化粧シート、１２４  表示機器（液晶画面）、１２６  電子回路基板、１３０  背面ケース、１３１ａ〜１３１ｄ  封鎖周壁部、１３３ｃ，１３３ｄ  弾性フック（係合部材）、１３３ｔ  鉤部、１３７  背面壁、１３８  通気窓、１３９ａ  全体庇、１３９ｂ  個別庇、１４０Ａ，１４０Ｂ  第１筐体、１５０  第２筐体、１５１  被取付板、１５２  被取付穴、１５３  固定部材（取付固定手段）、１５４  係合爪、１５５  固定ねじ、２１１ａｃ  角部傾斜付二重周壁、２１１ａｄ  角部傾斜付二重周壁、２１１ｂｄ  角部傾斜付二重周壁、２１１ｂｃ  角部傾斜付二重周壁、３１１ａａ〜３１１ｄｄ  周回二重周壁、３１１ａｃ  角部斜面二重周壁、３１１ａｄ  角部斜面二重周壁、３１１ｂｄ  角部斜面二重周壁、３１１ｂｃ  角部斜面二重周壁。
【図１】
2015095522.tif 000003
【図２】
2015095522.tif 000004
【図３】
2015095522.tif 000005
【図４】
2015095522.tif 000006
【図５】
2015095522.tif 000007
【図６】
2015095522.tif 000008
【図７】
2015095522.tif 000009
【図８】
2015095522.tif 000010
【図９】
2015095522.tif 000011
【図１０】
2015095522.tif 000012
【図１１】
2015095522.tif 000013
【図１２】
2015095522.tif 000014
【図１３】
2015095522.tif 000015
【図１４】
2015095522.tif 000016
【図１５】
2015095522.tif 000017
【図１６】
2015095522.tif 000018
【図１７】
2015095522.tif 000019
【手続補正書】
【提出日】平成27年2月13日(2015.2.13)
【手続補正１】
【補正対象書類名】明細書
【補正対象項目名】００１１
【補正方法】変更
【補正の内容】
【００１１】
上述した課題を解決し、目的を達成するために、本発明は、第１筐体からなり、第２筐体の壁面に設けられた開口部に嵌挿される防水型筐体ユニットである。第１筐体は、回路基板を収納すると共に、前面に表面配置部材が装着された表面ケースと、背面ケースとを備える。表面ケースは、開口部の周縁で第２筐体の外面に当接する額縁状のフランジ部を備え、開口部に嵌挿される方形の管状周壁部で構成される。背面ケースは、管状周壁部の後端部の全周にわたって当接する封鎖周壁部と、封鎖周壁部の後端を封鎖する背面壁とを備える。そして、管状周壁部の前端部は、表面配置部材によって封鎖され、管状周壁部の後端部に、背面ケースが係合する。管状周壁部は、上面および側面位置に設けられた排水穴と、排水穴に連通するように、第２筐体の開口部の内側に位置する当該管状周壁部の内部に設けられた二重周壁部とを有することを特徴とする。
【手続補正２】
【補正対象書類名】明細書
【補正対象項目名】００３１
【補正方法】変更
【補正の内容】
【００３１】
背面ケース１３０の封鎖周壁部１３１ｃ（図４参照）に設けられた弾性フック１３３ｃは、通気穴１１８ｂから嵌入して、管状周壁部１１１ｃの後端部に当接して湾曲し、更に挿入されるとフック係合穴１１３ｃにおいて湾曲状態が直線復帰して、鉤部１３３ｔによって後退を阻止され、複数の弾性フック１３３ｃ，１３３ｄが全てのフック係合穴１１３ｃ，１１３ｄに嵌入することによって表面ケース１１０Ａと背面ケース１３０とが一体化されるようになっている。
【手続補正３】
【補正対象書類名】特許請求の範囲
【補正対象項目名】全文
【補正方法】変更
【補正の内容】
【特許請求の範囲】
【請求項１】
第１筐体からなり、第２筐体の壁面に設けられた開口部に嵌挿される防水型筐体ユニットであって、
前記第１筐体は、回路基板を収納すると共に、前面に表面配置部材が装着された表面ケースと、背面ケースとを備え、
前記表面ケースは、前記開口部の周縁で前記第２筐体の外面に当接する額縁状のフランジ部を前端部に備え、前記開口部に嵌挿される方形の管状周壁部で構成され、
前記背面ケースは、前記管状周壁部の後端部の全周にわたって当接する封鎖周壁部と、前記封鎖周壁部の後端を封鎖する背面壁とを備え、
前記管状周壁部の前端部は、前記表面配置部材によって封鎖され、
前記管状周壁部の後端部に、前記背面ケースが係合しており、
前記管状周壁部は、上面および側面位置に設けられた排水穴と、前記排水穴に連通するように、前記第２筐体の開口部の内側に位置する前記管状周壁部の内部に設けられた二重周壁部とを有することを特徴とする防水型筐体ユニット。
【請求項２】
前記表面ケースと前記背面ケースは、係合部材を介して一体化されており、
前記係合部材は、
前記管状周壁部に設けられた複数のフック係合穴と、
前記封鎖周壁部に設けられた弾性フックとによって構成され、
前記弾性フックが係合する前記複数のフック係合穴は、前記排水穴の一部を構成していることを特徴とする請求項１に記載の防水型筐体ユニット。
【請求項３】
前記第２筐体の前記壁面は被取付板を構成しており、
前記第１筐体は、取付固定手段を介して前記第２筐体に固定され、
前記取付固定手段は、
前記管状周壁部の一部に設けられた固定部材係合穴と、
前記固定部材係合穴に嵌入する係合爪と、
固定ねじとを備え、
前記固定ねじを締付け回動することによって、
前記第２筐体の前記被取付板の内面と、前記係合爪が当接する前記固定部材係合穴の後端面との距離を拡げることで、前記フランジ部が防水封止材を介して前記被取付板の外面に押圧され、前記固定ねじによって前記第１筐体が前記第２筐体に取付固定されるとともに、
前記係合爪に対応して設けられた前記固定部材係合穴は、前記排水穴の一部を構成していることを特徴とする請求項２に記載の防水型筐体ユニット。      
【請求項４】
前記表面ケースを構成する前記管状周壁部の、前記固定部材係合穴と前記フック係合穴の間に敷設され、前記排水穴の一部を構成する分散排水穴を有することを特徴とする請求項３に記載の防水型筐体ユニット。
【請求項５】
前記管状周壁部と、前記フランジ部と、前記排水穴と、前記二重周壁部とは、前記フランジ部の開口前端部側と開口後端部側に位置して互いに突合する一対の金型によって成形され、
前記排水穴を構成する、前記固定部材係合穴又は前記フック係合穴又は前記分散排水穴と、前記二重周壁部の排水面は、前記フランジ部の開口前端部側と開口後端部側に位置して互いに突合する前記一対の金型のうち、開口前端部側に位置する金型の雄部材によって生成され、
前記一対の金型によって前記フランジ部の開口前端部側に形成される開口部は、防水性粘着シートによって封鎖されていることを特徴とする請求項４に記載の防水型筐体ユニット。     
【請求項６】
前記表面ケースに設けられた前記二重周壁部の排水面は、前記管状周壁部の開口後端部側に、前記二重周壁部内への水滴の浸入を遮断する遮水壁を有することを特徴とする請求項５に記載の防水型筐体ユニット。
【請求項７】
前記遮水壁は、前記二重周壁部の周面に直交するように設けられており、
さらに前記遮水壁から前記二重周壁部の内側に向かうにつれて徐々に外方に向かう傾斜面を有する傾斜遮水壁を有することを特徴とする請求項６に記載の防水型筐体ユニット。
【請求項８】
前記管状周壁部と、前記フランジ部と、前記排水穴と、前記二重周壁部とは、前記フランジ部の開口前端部側と開口後端部側に位置して互いに突合する一対の金型によって成形され、
前記排水穴を構成する、前記固定部材係合穴又は前記フック係合穴又は前記分散排水穴は、前記フランジ部の開口前端部側と開口後端部側に位置して互いに突合する前記一対の金型のうち、開口前端部側に位置する金型の雄部材によって生成され、前記二重周壁部の排水面は、開口後端部側に位置する金型の雄部材によって生成され、
前記一対の金型によって前記フランジ部の開口前端部側に発生する開口部は、防水性粘着シートによって封鎖されることを特徴とする請求項４に記載の防水型筐体ユニット。
【請求項９】
前記フランジ部の開口後端部側に位置する前記金型の雄部材によって生成された前記二重周壁部の排水面には、別部材で形成された遮水壁が設けられていることを特徴とする請求項８に記載の防水型筐体ユニット。
【請求項１０】
前記背面ケースの封鎖周壁部又は背面壁には、複数の通気窓が設けられ、前記排水穴と前記複数の通気窓とは、前記二重周壁部の通気穴を介して相互に連通していることを特徴とする請求項２から４のいずれか１項に記載の防水型筐体ユニット。
【請求項１１】
前記背面ケースの前記複数の通気窓の全ては、前記背面壁に設けられるとともに、
前記背面ケースは、前記第１筐体を横取付け又は縦取付けした場合に、前記背面壁の上部となる１辺又は、隣接した他の１辺に対して、前記背面壁から起立する庇を備えたことを特徴とする請求項１０に記載の防水型筐体ユニット。
【請求項１２】
前記二重周壁部は、４箇所の角部に設けられた角部二重周壁を有し、
前記管状周壁部の内で、水平上部位置となった管状周壁部の排水穴に流入した水滴は、
前記角部二重周壁のそれぞれにおいて、排水穴から流出するか、前記角部二重周壁の表面に拡散付着することを特徴とする請求項１から１１のいずれか１項に記載の防水型筐体ユニット。
【請求項１３】
前記二重周壁部は、周面全体が二重周壁部を構成する周回二重周壁を構成しており、
前記管状周壁部の排水穴に流入した水滴は、前記管状周壁部の排水穴から流出するか、前記周回二重周壁の表面に拡散付着することを特徴とする請求項１から１１のいずれか１項に記載の防水型筐体ユニット。
【請求項１４】
前記表面ケースの上下左右に位置する前記管状周壁部と平行して設けられた前記二重周壁部は、少なくとも上側左右及び下側左右の４箇所の角部に設けられた角部傾斜付二重周壁を有し、
前記管状周壁部の内で、水平上部位置となった管状周壁部の排水穴に流入した水滴は、
前記角部傾斜付二重周壁の垂直左右位置或いは、水平下部位置の前記管状周壁部の排水穴から流出するか、前記角部傾斜付二重周壁の表面に拡散付着することを特徴とする請求項１から１１のいずれか１項に記載の防水型筐体ユニット。
【請求項１５】
前記表面ケースの上下左右に位置する前記管状周壁部と平行して設けられた前記二重周壁部は、上下左右の周回二重周壁を相互に連結した角部斜面二重周壁を有し、
前記管状周壁部の内で、水平上部位置となった管状周壁部の排水穴に流入した水滴は、
前記周回二重周壁と前記角部斜面二重周壁のいずれか二つに分かれて垂直左右位置或いは、水平下部位置の前記管状周壁部の排水穴から流出するか、前記角部傾斜付二重周壁、或いは、前記周回二重周壁と前記角部斜面二重周壁の表面に拡散付着することを特徴とする請求項１から１１のいずれか１項に記載の防水型筐体ユニット。